(57)【要約】  ひとつの操作キーに割り当てられた複数の機能にそれぞれ対応する機能表示マークを効率良く表示する。  携帯電話（１）は、ひとつの操作キーに割り当てられている機能の数に応じて、当該機能を示す機能表示マークの表示数を変化させる。
2008032486.tif 000002
【特許請求の範囲】
【請求項１】
ひとつの操作キーに対して異なる操作を行うことにより複数の機能を実行することができる携帯端末であって、複数の機能を示す機能表示マークを表示する表示手段を備え、
上記ひとつの操作キーに割り当てられている機能の数に応じて、当該機能を示す機能表示マークの表示数を変化させることを特徴とする携帯端末。
【請求項２】
決定した上記表示数に応じて、上記機能表示マークの、上記表示手段の画面上の大きさを変化させることを特徴とする請求項１に記載の携帯端末。
【請求項３】
上記表示数が１つの場合、上記機能表示マークを上記画面上に一段表示し、
上記表示数が複数の場合、上記機能表示マークを、表示数に応じて上記画面上に複数段表示することを特徴とする請求項２に記載の携帯端末。
【請求項４】
上記異なる操作は、上記ひとつの操作キーの押下時間が異なる操作であることを特徴とする請求項１に記載の携帯端末。
【請求項５】
請求項１に記載の、ひとつの操作キーに割り当てられている機能の数に応じて当該機能を示す機能表示マークの表示数を変化させる機能をコンピュータに実現させるための表示様式決定プログラム。
【請求項６】
請求項５に記載の表示様式決定プログラムを記録したコンピュータ読み取り可能な記録媒体。
【請求項７】
ひとつの操作キーに対して異なる操作を行うことにより複数の機能を実行することができるとともに、複数の機能を示す機能表示マークを表示する表示手段を備える携帯端末における上記機能表示マークの表示方法であって、
上記ひとつの操作キーに割り当てられている機能の数に応じて、当該機能を示す機能表示マークの表示数を変化させる工程を含むことを特徴とする表示方法。
【発明の詳細な説明】
【技術分野】
【０００１】
本発明は、操作キーに割り当てられた機能を示す機能表示マークを表示する携帯端末および当該機能表示マークを表示する方法に関するものである。
【背景技術】
【０００２】
携帯電話等の携帯端末において、ユーザの利用可能な機能が増大するに伴い、ユーザの所望する機能をより簡単に呼び出す技術が提案されている。【０００３】
例えば、メニュー画面により機能一覧を表示し、表示された機能から所望の機能をユーザに選択させるという構成が広く用いられている。【０００４】
しかし、この構成では、操作回数が多くなるという問題が生じる。【０００５】
そこで、特許文献１に記載の発明では、ひとつの操作キーに２つの異なる機能を割り当て、当該操作キーを押下する時間の長短により、２つの異なる機能のいずれかを選択する構成を実現している。この構成により、操作の回数を増やすことなく、所望の機能を容易に呼び出すことができる。【０００６】
このような構成を備える携帯電話は、既に市販されており、その一例として、携帯電話ＳＨ７０５（シャープ社製）を挙げることができる。この携帯電話では、機能呼び出し用の操作キー（以下、機能呼び出しキー）を短時間押した場合に第１機能が呼び出され、当該機能呼び出しキーを長時間押した場合に第２機能が呼び出される。第１機能を示す機能表示マークは、携帯端末の表示部に表示されるが、第２機能を示す機能表示マークは、表示されない。【０００７】
なお、それぞれ異なる機能が割り当てられた機能呼び出しキーを５個設け、５種類の機能名を左右に二段、中央に一段表示する構成は実現されている。このような構成を備える携帯電話として、携帯電話ＳＨ９０２ｉ（シャープ社製）を挙げることができる。この携帯電話では、機能名を表示するための表示領域が常に５つ、携帯電話の画面上に確保されている。
【特許文献１】日本国公開特許公報「特開２００３−２９８７１６号公報（２００３年１０月１７日公開）」
【発明の開示】
【０００８】
ところが、上記携帯電話ＳＨ７０５の構成では、機能呼び出しキーを短時間押した場合に呼び出される第１機能を示す機能表示マークのみが表示部に表示されるため、当該機能呼び出しキーを長時間押した場合に呼び出される第２機能が何であるのかは、表示部を見ただけでは知ることが出来ない。すなわち、第２機能は、隠し機能的な存在となっている。従って、携帯端末で使用されるアプリケーションに応じて第２機能を異ならせることは、ユーザの使い易さを考慮すれば困難であり、第２機能には常に一定の機能が割り当てられている。
【０００９】
この問題を解決するために、ひとつの機能呼び出しキーに関する機能表示マークを表示するための表示領域を常に複数確保してもよい。しかし、ひとつの機能呼び出しキーに常に複数の機能が割り当てられることは稀であるため、ひとつの機能呼び出しキーに対して、常に複数の表示領域を確保すれば、表示部の表示スペースが浪費されるという問題が生じる。また、機能表示マークを表示するためのスペースは限られているため、常に複数の表示領域を確保すれば、ひとつ当たりの表示面積が小さくなり、機能表示マークの視認性が悪くなるという問題も生じる。
【００１０】
本発明は、上記の問題点を解決するためになされたもので、その目的は、ひとつの操作キーに割り当てられた複数の機能にそれぞれ対応する機能表示マークを効率良く表示することができる携帯端末を提供することにある。
【００１１】
本発明に係る携帯端末は、上記の課題を解決するために、ひとつの操作キーに対して異なる操作を行うことにより複数の機能を実行することができる携帯端末であって、複数の機能を示す機能表示マークを表示する表示手段を備え、上記ひとつの操作キーに割り当てられている機能の数に応じて、当該機能を示す機能表示マークの表示数を変化させることを特徴としている。
【００１２】
本発明に係る表示方法は、上記の課題を解決するために、ひとつの操作キーに対して異なる操作を行うことにより複数の機能を実行することができるとともに、複数の機能を示す機能表示マークを表示する表示手段を備える携帯端末における上記機能表示マークの表示方法であって、上記ひとつの操作キーに割り当てられている機能の数に応じて、当該機能を示す機能表示マークの表示数を変化させる工程を含むことを特徴としている。
【００１３】
従来の技術では、ひとつの操作キーに２つの機能を割り当てた場合、一方の機能は表示手段の画面に表示されたが、他方の機能は表示されなかった。
【００１４】
上記の構成によれば、上記携帯端末は、ひとつの操作キーに割り当てられている機能の数に応じて、表示手段の画面における機能表示マークの表示数を変化させる。例えば、或る操作キーに割り当てられている機能がひとつの場合には、当該機能に対応する機能表示マークをひとつ表示し、或る操作キーに割り当てられている機能が２つの場合には、当該機能にそれぞれ対応する機能表示マークを２つ表示する。
【００１５】
それゆえ、ひとつの操作キーに複数の機能が割り当てられている場合には、それらの機能に対応する機能表示マークを表示手段に表示することにより、当該操作キーに複数の機能が割り当てられている旨をユーザに報知することができる。加えて、当該操作キーに割り当てられている機能の数に応じて機能表示マークの表示数を変えられるため、表示手段の表示スペースを効率良く利用できる。
【００１６】
また、操作キーに割り当てられている機能の数に応じて機能表示マークの表示数を変化させることにより、その時点でどのような機能を実行できるのかをユーザに報知することができるため、次のどのような操作を行えばよいのかをユーザに示し、ユーザをガイドすることができる。
【００１７】
以上のように、本発明に係る携帯端末は、ひとつの操作キーに割り当てられている機能の数に応じて、当該機能を示す機能表示マークの表示数を変化させる構成である。
【００１８】
以上のように、本発明に係る表示方法は、ひとつの操作キーに割り当てられている機能の数に応じて、当該機能を示す機能表示マークの表示数を変化させる工程を含む構成である。
【００１９】
それゆえ、ひとつの操作キーに割り当てられた複数の機能にそれぞれ対応する機能表示マークを効率良く表示することができるという効果を奏する。
【図面の簡単な説明】
【００２０】
【図１】本発明の一実施形態に係る携帯電話の構成を示す概略図である。
【図２】本発明の一実施形態に係る携帯電話の概観を示す概略図である。
【図３】機能割り当てテーブルの一例を示す図である。
【図４】表示様式判断テーブルの一例を示す図である。
【図５】機能名表示テーブルの一例を示す図である。
【図６】ピクチャー画面の一例を示すものであり、右側表示領域において機能表示マークが一段表示されている状態を示す図である。
【図７】ピクチャー画面の一例を示すものであり、右側表示領域において機能表示マークが一段表示されている状態を示す図である。
【図８】ピクチャー画面の一例を示すものであり、右側表示領域において機能表示マークが二段表示されている状態を示す図である。
【図９】機能表示マークの表示方法の変更例を示す図である。
【図１０】一実施形態の携帯電話における処理の流れの一例を示すフローチャートである。
【図１１】機能表示マークの表示方法のさらに別の変更例を示す図である。
【符号の説明】
【００２１】
１    携帯電話
９    表示部（表示手段）
８１    機能呼び出しキー（操作キー）
８１ａ  左ソフトキー（操作キー）
８１ｂ  中央ソフトキー（操作キー）
８１ｃ  右ソフトキー（操作キー）
９２ａ  機能表示マーク
９２ｂ  機能表示マーク
９２ｃ  機能表示マーク
９２ｄ  機能表示マーク
９２ｅ  機能表示マーク
９３    機能表示マーク
９４    機能表示マーク
【発明を実施するための最良の形態】
【００２２】
本発明の実施の一形態について図１〜図１０に基づいて説明すれば、以下のとおりである。以下では、本発明の携帯端末の一例として、携帯電話１を挙げて説明するが、本発明は携帯電話に限定されない。ひとつの操作キーに複数の機能を割り当てることができ、上記機能を示す機能表示マークを表示する表示部を備える携帯端末であれば、どのような携帯端末に本発明を適用してもよい。【００２３】
図２は、携帯電話１の概観を示す概略図である。同図に示すように、携帯電話１は、複数の機能モードを有する携帯端末であり、入力操作を行うための複数の操作キー８および携帯電話１において行われる処理の結果を表示する表示部９（表示手段）を備えている。この表示部９は、例えば、液晶ディスプレイである。【００２４】
操作キー８は、機能呼び出しキー８１およびテンキー８２を含んでいる。テンキー８２は、文字、数字、記号等を入力するためのものである。機能呼び出しキー８１は、携帯電話１の所定の機能を呼び出すためのものであり、ひとつの操作キーに対して異なる操作（短押しまたは長押し）を行うことにより複数の機能を呼び出すことができるものである。つまり、機能呼び出しキー８１に対する異なる操作は、当該機能呼び出しキー８１の押下時間が異なる操作である。【００２５】
機能呼び出しキー８１として、左ソフトキー８１ａ、中央ソフトキー８１ｂ、右ソフトキー８１ｃが設けられている。左ソフトキー８１ａ、中央ソフトキー８１ｂおよび右ソフトキー８１ｃに割り当てられている機能の名称は、表示部９の機能名表示領域９１内の、左側表示領域９１ａ、中央表示領域９１ｂ、右側表示領域９１ｃに表示される機能表示マークによってそれぞれ示される。【００２６】
図１は、本実施形態の携帯電話１の構成を示す概略図である。同図に示すように、携帯電話１は、主制御部２、入出力インターフェース７、操作キー８、表示部９、メモリ１０および通信部１５を備えている。なお携帯電話１は、携帯電話として機能するために必要な、スピーカ、マイクなどの部材を備えているが、図１では、これらの部材は省略されている。【００２７】
入出力インターフェース７は、キー操作検出部７１および表示制御部７２を備えている。【００２８】
キー操作検出部７１は、ユーザによる操作キー８の操作を検出し、どのキーが押されたかという検出結果を主制御部２へ出力する。また、このキー操作検出部７１は、機能呼び出しキー８１が押下された場合には、所定の時間以上押下されたかどうかを判定し、その判定結果を主制御部２へ出力する。すなわち、キー操作検出部７１は、機能呼び出しキー８１が短押しされたか長押しされたかを判定する。上記所定の時間は、例えば２秒である。【００２９】
表示制御部７２は、表示部９を制御することにより主制御部２から出力された情報を表示部９に表示させる。【００３０】
メモリ１０は、機能割り当てテーブル１１、表示様式判断テーブル１２、機能名表示テーブル１３およびアプリケーションプログラム１４を格納している。上記各テーブルの詳細については後述する。また、メモリ１０は、ユーザが収集した画像データなど、種々のデータも格納している（不図示）。【００３１】
主制御部２は、機能呼び出し判定部３、アプリケーション実行部４、表示様式決定部５および表示内容決定部６を備えている。【００３２】
機能呼び出し判定部３は、キー操作検出部７１から出力された情報をもとに、ユーザによって行われた操作内容および呼び出された機能を判定し、その判定結果をアプリケーション実行部４へ出力する。この機能呼び出し判定部３は、特に、機能呼び出しキー８１のひとつが押下された場合に、どの機能呼び出しキーが押下されたのかという情報と押下された時間とに基づいて、呼び出された機能を判定する。この機能の判定は、アプリケーション実行部４によって実行されているアプリケーション（換言すれば、ユーザによって選択された機能モード）に対応する機能割り当てテーブル１１を参照することによって行われる。或る時点において、どの機能割り当てテーブル１１を参照すればよいかという情報は、表示様式決定部５に問い合わせることにより得られる。【００３３】
アプリケーション実行部４は、機能呼び出し判定部３によって判定された機能に対応するアプリケーションプログラム１４を起動し、ユーザからの命令に従って各種の処理を実行する。アプリケーションの実行内容は、表示部９またはスピーカ（不図示）を介してユーザに報知される。【００３４】
表示様式決定部５は、アプリケーション実行部４から出力された情報に基づいて、機能名表示領域９１に表示される機能表示マークの表示様式を決定し、当該決定結果を表示内容決定部６へ出力する。換言すれば、表示様式決定部５は、機能呼び出しキー８１のひとつに割り当てられている機能の数に応じて、当該機能を示す機能表示マークの、表示部９の画面における表示数を変化させる。この決定は、表示様式判断テーブル１２を参照することによって行われる。【００３５】
表示内容決定部６は、表示様式決定部５から出力された判定結果をもとに、機能名表示領域９１にどの機能表示マークを表示するかという表示内容を決定する。特に、表示内容決定部６は、表示様式決定部５によって決定された機能表示マークの表示数に応じて、当該機能表示マークの、表示部９の画面上の大きさを変化させる。この表示内容の決定は、機能名表示テーブル１３を参照することによって行われる。表示内容決定部６は、機能表示マークの表示内容に関する情報を表示制御部７２へ出力する。【００３６】
（機能割り当てテーブル１１の例）
次に、機能割り当てテーブル１１の一例について、図３を参照しつつ説明する。図３は、機能割り当てテーブル１１の一例を示す図である。機能呼び出しキー８１にどの機能を割り当てるかは、ユーザが選択したアプリケーションにより表示される画面によって異なる。【００３７】
図３には、メモリ１０に保存されている画像データ（不図示）を閲覧、編集、または転送するためのピクチャー画面が選択されている場合と、インターネット上のＷｅｂページを閲覧するためのブラウザを表示する画面が選択されている場合とにおいて、機能呼び出しキー８１の、例えば右ソフトキー８１ｃに割り当てられる機能の名称が示されている。【００３８】
具体的には、同図に示すように、ピクチャー画面が選択されている場合であって、機能名を一段表示している場合には、右ソフトキー８１ｃの短押しには、「チェック」が割り当てられており、長押しには、何も機能が割り当てられていない。この「チェック」とは、チェックを入れることにより複数の画像を選択する機能である。このチェックを入れる操作が行われている状態では、どの画像も送信することはできない。【００３９】
一方、機能名を二段表示している場合には、右ソフトキー８１ｃの短押しには、「チェック」が割り当てられており、長押しには、「高速赤外線通信」が割り当てられている。この「高速赤外線通信」とは、選択された画像を高速赤外線通信によって外部の装置へ送信する機能である。【００４０】
なお、既にチェックが入っている画像をユーザが選択した場合には、「チェック」ではなく、チェックを外す「解除」の機能を右ソフトキー８１ｃの短押しに割り当てることが好ましいが、簡略化のためにこの点については図３には示していない。【００４１】
ブラウザを表示する画面が選択されている場合であって、機能名を一段表示している場合には、右ソフトキー８１ｃの短押しには、「戻る」が割り当てられており、長押しには、何も機能が割り当てられていない。一方、機能名を二段表示している場合には、右ソフトキー８１ｃの短押しには、「戻る」が割り当てられており、長押しには、「進む」が割り当てられている。この「戻る」および「進む」とは、ユーザが閲覧したＷｅｂページの履歴を辿る操作を行うための機能である。【００４２】
上記の説明は、ピクチャー画面が選択されている場合およびブラウザを表示する画面が選択されている場合についてのものであるが、その他の画面に関して機能割り当てテーブル１１が設けられていてもよい。また、機能割り当てテーブル１１は、アプリケーションごとに個別に設けられていてもよいし、総合的な機能割り当てテーブル１１がひとつ設けられていてもよい。【００４３】
また、３つの機能呼び出しキー８１の短押しおよび長押しにどのような機能を割り当てるか、または割り当てないかは、適宜設定されればよい。【００４４】
例えば、ピクチャー画面において、中央ソフトキー８１ｂに対して、短押しに画像を拡大表示する機能である「表示」を、長押しに「高速赤外線通信」を割り当ててもよいし、テキストエディタ画面において、右ソフトキー８１ｃに対して、短押しに「キャンセル」を、長押しに「操作取り消し」を割り当ててもよい。【００４５】
ただし、長押しに割り当てる機能は、オプションメニューキーを開かないで使えると便利な、使用頻度が比較的高い機能であることが好ましい。また、ひとつの機能呼び出しキーに共に割り当てると誤操作を招くような機能のペアをひとつの機能呼び出しキーに割り当てることは避けることが好ましい。また、長押しキーを多用すると、機能表示マークが見にくくなるため、長押しキーの使用は、必要最小限度に抑えることが好ましい。【００４６】
長押しに割り当てる機能の他の例としては、データフォルダにおいて、メモリカードと本体内蔵のメモリとの切り替えが挙げられる。【００４７】
（表示様式判断テーブル１２の例）
次に、表示様式判断テーブル１２の一例について、図４を参照しつつ説明する。図４は、ピクチャー画面において、機能表示マークを一段表示するか二段表示するかを決定する場合、換言すれば、機能表示マークの表示数を１にするか２にするかを決定する場合の表示様式判断テーブル１２を示す図である。【００４８】
同図に示すように、ピクチャー画面において、チェックされている画像がある場合には、機能表示マークが一段表示される（表示数１）。チェックされている画像がない場合であって、選択されている画像が高速赤外線送信可能なファイルである場合は、機能表示マークが二段表示される（表示数２）。また、チェックされている画像がない場合であって、選択されている画像が高速赤外線送信可能なファイルでない場合は、機能表示マークが一段表示される（表示数１）。【００４９】
表示様式決定部５は、アプリケーション実行部４によって実行されている処理の状態、換言すれば、ユーザが行っている操作の内容、と表示様式判断テーブル１２とを対比させることにより、機能表示マークの表示数を決定する。【００５０】
表示様式判断テーブル１２は、アプリケーションごと、または、アプリケーションにおける各処理（各サブルーチン）ごとに設けられている。表示様式判断テーブル１２をどのようなものにするかは、アプリケーションに応じて適宜変更すればよい。【００５１】
（機能名表示テーブル１３の一例）
次に、機能名表示テーブル１３の一例について、図５を参照しつつ説明する。図５は、ピクチャー画面およびブラウザ画面における機能表示マークの表示方法を示す機能名表示テーブル１３の一例を示す図である。【００５２】
同図に示すように、ピクチャー画面が選択されている場合であって、機能名を一段表示する場合には、「チェック」を示す機能表示マークが一段表示される。一方、機能名を二段表示する場合には、一段目に「チェック」を示す機能表示マークを、二段目に「赤外線通信」を示す機能表示マークを表示する。【００５３】
なお、既にチェックが入っている画像をユーザが選択した場合には、「チェック」ではなく、「解除」を示す機能表示マークを表示することが好ましい。【００５４】
一方、ブラウザを表示する画面が選択されている場合であって、機能名を一段表示する場合には、「戻る」を示す機能表示マークが一段表示される。一方、機能名を二段表示する場合には、一段目に「戻る」を示す機能表示マークを、二段目に「進む」を示す機能表示マークを表示する。【００５５】
表示内容決定部６は、表示様式決定部５から出力される判定結果（機能表示マークの表示数）に基づいて機能名表示テーブル１３を参照し、機能名表示領域９１に表示される機能表示マークを決定する。【００５６】
（表示部９の表示画面の一例）
次に、表示部９の表示画面の一例について、図６〜８を参照しつつ説明する。図６〜８は、ピクチャー画面の一例を示す図であり、図６および図７は、右側表示領域９１ｃにおいて機能表示マーク９２ｃが一段表示されている状態を示すものであり、図８は、右側表示領域９１ｃにおいて機能表示マーク９２ｄおよび機能表示マーク９２ｅが二段表示されている状態を示すものである。【００５７】
図６に示すように、左側表示領域９１ａには、メニューを呼び出すための機能を示す機能表示マーク９２ａが、中央表示領域９１ｂには、選択された画像（図６にて画像２１）を拡大表示するための機能を示す機能表示マーク９２ｂが表示されている。そして、チェックされている画像（図６にて画像２２）が存在すると赤外線高速通信は行えないため、右側表示領域９１ｃにおいて「チェック」を示す機能表示マーク９２ｃが一段表示されている。【００５８】
また、図７に示すように、選択された画像（図７にて画像２３）が高速赤外線通信できない画像（例えば、ＧＩＦ（Graphic Interchange Format）画像）である場合には、右側表示領域９１ｃにおいて「チェック」を示す機能表示マーク９２ｃが一段表示される。【００５９】
一方、図８に示すように、チェックされている画像がなく、選択された画像（図８にて画像２１）が高速赤外線通信できる画像（例えば、ＪＰＥＧ（Joint Photographic Experts Group）画像）である場合には、右側表示領域９１ｃにおいて「チェック」を示す機能表示マーク９２ｄが一段目（上段）に、「赤外線通信」を示す機能表示マーク９２ｅが二段目（下段）に表示される。換言すれば、携帯電話１は、機能呼び出しキー８１のひとつに割り当てられた複数の機能を同時に表示部９に表示する。【００６０】
すなわち、携帯電話１は、右ソフトキー８１ｃに「チェック」のみが割り当てられている場合、当該機能に対応する機能表示マーク９２ｃを右側表示領域９１ｃに一段表示し、右ソフトキー８１ｃに「チェック」および「高速赤外線通信」の機能が割り当てられている場合、当該２つの機能にそれぞれ対応し、一段表示の場合の略半分の高さを有する機能表示マーク９２ｄおよび９２ｅを、右側表示領域９１ｃに上下二段に表示する。【００６１】
換言すれば、携帯電話１は、機能表示マークの表示数が１つの場合、当該機能表示マークを表示部９の画面上に一段表示し、上記表示数が複数の場合、機能表示マークを、表示数に応じて上記画面上に複数段表示する。【００６２】
別の見方をすれば、携帯電話１は、右ソフトキー８１ｃに２つの機能が割り当てられている場合に、右側表示領域９１ｃを２つの表示領域に分割し、それぞれの表示領域に機能表示マーク９２ｄおよび９２ｅを表示する。換言すれば、携帯電話１（特に、表示様式決定部５）は、右ソフトキー８１ｃに割り当てられる機能の数に応じて、表示領域の数を変化させる。この表示様式の決定および表示内容の決定は、表示様式決定部５および表示内容決定部６によって行われる。【００６３】
なお、図８に示すように、機能呼び出しキーに対して通常の操作（例えば、短押し）以外の操作（例えば、長押し）を行うことにより呼び出せる機能を示す機能表示マークには、当該機能を呼び出すための操作方法を示すマーク（例えば、「長押」という文字列）を付加することが好ましい。この表示により、二段表示された機能表示マークに対応する機能が、どのような操作によって呼び出せるのかをユーザに報知することができる。【００６４】
また、機能呼び出しキーに対して通常の操作（例えば、短押し）以外の操作（例えば、長押し）を行うことにより呼び出せる機能を示す機能表示マークは、背景色とは異なる色にすることが好ましい。この表示により、突然表示されることが多い二段目の機能表示マークの存在をユーザに効果的に報知することができる。【００６５】
また、図６〜図７に示した画面は、ピクチャー画面に関するものであり、機能名表示領域９１には、「メニュー」、「表示」および「チェック」の機能表示マークが表示されているが、他の画面においては、機能名表示領域９１には、当該画面に対応した機能表示マークが表示される。【００６６】
さらに、図８では、右側表示領域９１ｃに機能表示マークを上下二段表示しているが、左ソフトキー８１ａに「チェック」が割り当てられている場合には、左側表示領域９１ａに機能表示マークを上下二段表示し、中央ソフトキー８１ｂに「チェック」が割り当てられている場合には、中央表示領域９１ｂに機能表示マークを上下二段表示すればよい。すなわち、複数の機能が割り当てられている機能呼び出しキーの近傍の表示領域に機能表示マークを上下二段表示すればよい。【００６７】
また、図６〜図８に示した表示部９の画面は、あくまで一例であり、画面のデザインは、本発明を限定するものではない。【００６８】
（表示部９の表示画面の変更例）
次に、機能表示マークの表示方法の変更例について図９を参照しつつ説明する。図９は、機能表示マークの表示方法の変更例を示す図である。【００６９】
同図に示すように、ひとつの機能名表示領域９１（例えば、右側表示領域９１ｃ）に機能表示マークを２つ表示する場合に、２つの機能表示マーク９３および９４を左右に横並びに表示してもよい。この表示方法では、文字列を表示することが困難であるため、機能表示マークとしてアイコン（図９にて機能表示マーク９３）を表示すればよい。【００７０】
ただし、アイコンよりも文字列で表示する方がユーザに理解されやすく、上下二段に表示する方が直感的に分かり易いため、文字列を上下二段に表示する方が好ましい。【００７１】
（携帯電話１における処理の流れ）
次に、携帯電話１における処理の流れの一例について、図１０を参照しつつ説明する。図１０は、携帯電話１における処理の流れの一例を示すフローチャートである。以下では、ピクチャー画面を呼び出す操作がユーザによって行われた場合に、携帯電話１において行われる処理について説明する。【００７２】
まず、待ち受け画面において、ユーザが機能呼び出しキー８１を押下したことをキー操作検出部７１が検出すると、その検出情報は、機能呼び出し判定部３へ出力される（Ｓ１）。【００７３】
この検出情報を受け取ると、機能呼び出し判定部３は、待ち受け画面に対応する機能割り当てテーブル１１を参照することにより、呼び出すべき機能を判定する（Ｓ２）。ピクチャー画面を呼び出す操作が行われたと判定すると、機能呼び出し判定部３は、その判定結果をアプリケーション実行部４へ出力する。【００７４】
この判定結果を受け取ると、アプリケーション実行部４は、ピクチャー画面用のアプリケーションを起動し、表示制御部７２を介して、表示部９にピクチャー画面を表示する（Ｓ３）。【００７５】
ユーザが、ピクチャー画面に表示された画像のひとつを選択する操作を行うと、アプリケーション実行部４は、当該画像が高速赤外線通信可能なファイルであるか否かを判定する（Ｓ４）。【００７６】
上記画像が高速赤外線通信可能なファイルでなければ（Ｓ４にてＮＯ）、アプリケーション実行部４は、その旨を示す通信不可能情報を表示様式決定部５へ出力する。【００７７】
この通信不可能情報を受け取ると、表示様式決定部５は、ピクチャー画面に対応する表示様式判断テーブル１２を参照し、機能表示マークを一段表示する命令（表示数が１であることを示す情報）を表示内容決定部６へ出力する（Ｓ８）（表示様式決定工程）。【００７８】
この命令を受け取ると、表示内容決定部６は、ピクチャー画面に対応する機能名表示テーブル１３を参照し、「チェック」の機能表示マークを右側表示領域９１ｃに一段表示する命令を、表示制御部７２を介して表示部９へ出力する。【００７９】
この命令を受け取ると、表示部９は、「チェック」を示す機能表示マークを右側表示領域９１ｃに一段表示する（Ｓ９）。【００８０】
一方、上記画像が高速赤外線通信可能なファイルであれば（Ｓ４にてＹＥＳ）、アプリケーション実行部４は、チェックされた画像があるかどうかを判定する（Ｓ５）。ユーザによって画像がチェックされれば、その情報は、アプリケーション実行部４が備える一時記憶メモリに格納される。アプリケーション実行部４は、この一時記憶メモリの情報を参照することにより、チェックされた画像の有無を判定する。【００８１】
チェックされた画像があれば（Ｓ５にてＹＥＳ）、アプリケーション実行部４は、通信不可能情報を表示様式決定部５へ出力する。これ以降の処理は、上述した処理と同様であるため省略する。【００８２】
一方、チェックされた画像がなければ（Ｓ５にてＮＯ）、アプリケーション実行部４は、高速赤外線通信できることを示す通信可能情報を表示様式決定部５へ出力する。【００８３】
この通信可能情報を受け取ると、表示様式決定部５は、ピクチャー画面に対応する表示様式判断テーブル１２を参照し、機能表示マークを二段表示する命令（表示数が２であることを示す情報）を表示内容決定部６へ出力する（Ｓ６）（表示様式決定工程）。【００８４】
この命令を受け取ると、表示内容決定部６は、ピクチャー画面に対応する機能名表示テーブル１３を参照し、「チェック」の機能表示マークを右側表示領域９１ｃの一段目に、「赤外線通信」の機能表示マークを同領域の二段目に表示する命令を、表示制御部７２を介して表示部９へ出力する。【００８５】
この命令を受け取ると、表示部９は、「チェック」の機能表示マークを右側表示領域９１ｃの一段目に、「赤外線通信」の機能表示マークを同領域の二段目に表示する（Ｓ７）。【００８６】
ユーザが右ソフトキー８１ｃを短押しすれば、選択された画像にチェックが入り、右ソフトキー８１ｃを長押しすれば、選択された画像が赤外線通信部１６により高速赤外線通信される（不図示）。【００８７】
そして、ピクチャー画面におけるユーザの操作が終了すると、アプリケーション実行部４は、ピクチャー画面用のアプリケーションを終了し、表示部９の画面を待ち受け画面に戻す。【００８８】
（携帯電話１の効果）
以上のように、携帯電話１は、ひとつの操作キーに対する複数の異なる種類の操作を受け付け、当該複数の異なる種類の操作に対応した複数の機能を実行することができる携帯端末であって、機能呼び出しキー８１のひとつに割り当てられている機能の数に応じて、当該機能を示す機能表示マークの、表示部９における表示数を変化させる。【００８９】
それゆえ、機能呼び出しキー８１のひとつに複数の機能が割り当てられている場合には、それらの機能に関する機能表示マークをすべて表示部に表示することにより、当該機能呼び出しキー８１に複数の機能が割り当てられている旨をユーザに報知することができる。【００９０】
加えて、機能呼び出しキー８１に割り当てられている機能の数に応じて機能表示マークの表示数を変えられるため、表示部９の機能名表示領域９１を効率良く利用できる。【００９１】
また、携帯電話１は、機能呼び出しキー８１に割り当てられている機能の数（すなわち、決定した機能表示マークの表示数）に応じて、機能表示マークの、表示部９の画面上の大きさを変化させる。【００９２】
それゆえ、機能表示マークの表示数が多い時には機能表示マークの大きさを小さくし、機能表示マークの表示数が少ない時には機能表示マークの大きさを大きくすることにより、機能名表示領域９１をより一層効率良く利用することができ、機能表示マークの視認性を高めることができる。【００９３】
また、機能呼び出しキー８１の短押しおよび長押しにより、複数の機能を呼び出せるため、１回の操作で機能を呼び出すことができ、メニューを呼び出して機能を選択するよりも、操作回数を低減することができる。【００９４】
また、機能呼び出しキー８１に割り当てられた機能に応じて機能表示マークを表示することにより、次にどの操作をすることが可能なのかをユーザに報知することができる。つまり、機能表示マークに、操作ガイドとしての役割を持たせることができる。【００９５】
（変更例）
本発明は上述した実施形態に限定されるものではなく、請求項に示した範囲で種々の変更が可能であり、実施形態に開示された技術的手段を適宜組み合わせて得られる実施形態についても本発明の技術的範囲に含まれる。【００９６】
上述の説明では、機能名表示領域９１の高さは固定されていたが、表示する機能表示マークの数に応じて機能名表示領域９１の高さを可変にしてもよい。【００９７】
また、機能表示マークを二段表示する場合に、機能名表示領域９１の外側であって、当該機能名表示領域９１に隣接する位置に、二段目の機能表示マークを表示してもよい。【００９８】
機能表示マークを一段表示する場合には、機能表示マークをフォントによって表示し、機能表示マークを二段表示する場合には、機能表示マークを上下二段表示した画像を表示することが好ましい。機能名表示領域９１の高さが限定されており、機能表示マークを上下二段表示できる小さなフォントがない場合に、この表示方法が好適に利用できる。【００９９】
また、機能表示マークを二段表示する場合には、図１１に示すように、各段の高さを、上段：下段＝６：４程度にしてもよい。通常、上段によく用いられる機能を割り当てるため、上記の表示様式にすることにより、上段を目立たせる効果が得られる。【０１００】
また、上述のように、左ソフトキー８１ａ、中央ソフトキー８１ｂ、右ソフトキー８１ｃの３つの機能呼び出しキーを設ければ、最大６種類の機能をこれらのキーに割り当てることができ、利便性が向上する。しかし、機能呼び出しキー８１の数および配置は、上述のものに限定されない。【０１０１】
また、機能呼び出しキー８１の押下方法は、短押しおよび長押しに限定されず、異なる複数の押下方法を設定してもよい。例えば、短押しとダブルクリックとによって呼び出す機能を異ならせてもよい。【０１０２】
また、上述した携帯電話１の各ブロック、特に表示様式決定部５は、ハードウェアロジックによって構成してもよいし、次のようにＣＰＵを用いてソフトウェアによって実現してもよい。【０１０３】
すなわち、携帯電話１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである携帯電話１の制御プログラム（表示様式決定プログラム）のプログラムコード（実行形式プログラム、中間コードプログラム、ソースプログラム）をコンピュータで読み取り可能に記録した記録媒体を、上記携帯電話１に供給し、そのコンピュータ（またはＣＰＵやＭＰＵ）が記録媒体に記録されているプログラムコードを読み出し実行することによっても、達成可能である。【０１０４】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。【０１０５】
また、携帯電話１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。【０１０６】
また、上記携帯端末は、決定した上記表示数に応じて、上記機能表示マークの、上記表示手段の画面上の大きさを変化させることが好ましい。【０１０７】
上記の構成によれば、上記携帯端末は、決定した表示数に応じて、表示される機能表示マークの、画面上の大きさを変化させる。【０１０８】
それゆえ、機能表示マークの表示領域が固定されている場合に、機能表示マークの表示数が多い時には機能表示マークの大きさを小さくし、機能表示マークの表示数が少ない時には機能表示マークの大きさを大きくすることにより、機能表示マークの表示領域をより一層効率良く利用することができるとともに、機能表示マークの視認性を高めることができる。【０１０９】
また、上記携帯端末は、上記表示数が１つの場合、上記機能表示マークを上記画面上に一段表示し、上記表示数が複数の場合、上記機能表示マークを、表示数に応じて上記画面上に複数段表示することが好ましい。【０１１０】
上記の構成によれば、機能表示マークの表示数が１つの場合（或る操作キーに１つの機能が割り当てられている場合）には、当該機能に対応する機能表示マークが表示手段の画面上に一段表示され、表示数が複数の場合（或る操作キーに複数の機能が割り当てられている場合）には、当該複数の機能にそれぞれ対応する機能表示マークが、画面上に複数段に表示される。【０１１１】
それゆえ、機能表示マークの表示領域が固定されている場合に、その表示領域を有効利用できるとともに、直感的に分かり易く機能表示マークを表示することができる。【０１１２】
また、上記異なる操作は、上記ひとつの操作キーの押下時間が異なる操作であることが好ましい。【０１１３】
上記の構成によれば、ひとつの操作キーを押下する時間の長短により、異なる機能を実行できる。すなわち、ひとつの操作キーを所定時間より短く押下した場合と、所定時間以上押下した場合とで、異なる機能を実行できる。【０１１４】
それゆえ、押下時間の長短という簡単な操作入力に対して、異なる機能を実行することができる。【０１１５】
また、ひとつの操作キーに割り当てられている機能の数に応じて当該機能を示す機能表示マークの表示数を変化させる機能をコンピュータに実現させるための表示様式決定プログラムおよび当該表示様式決定プログラムを記録したコンピュータ読み取り可能な記録媒体も本発明の技術的範囲に含まれる。
【産業上の利用可能性】
【０１１６】
ひとつの操作キーに割り当てられた複数の機能を見易く表示できるため、携帯端末、特に片手で操作することを前提とされた操作キーの少ない携帯端末に好適に適用できる。
【図１】
2008032486.tif 000003
【図２】
2008032486.tif 000004
【図３】
2008032486.tif 000005
【図４】
2008032486.tif 000006
【図５】
2008032486.tif 000007
【図６】
2008032486.tif 000008
【図７】
2008032486.tif 000009
【図８】
2008032486.tif 000010
【図９】
2008032486.tif 000011
【図１０】
2008032486.tif 000012
【図１１】
2008032486.tif 000013
【国際調査報告】
2008032486.tif 000014
2008032486.tif 000015